(57)【要約】【課題】発光部及び透光部を有するＯＬＥＤにおいて発光部を基板の第１面側に設ける場合に、発光部からの光が基板の第１面側から漏れることを防ぐ。【解決手段】複数の遮光層２２０のそれぞれは、複数の発光部１５２に対して基板１００と反対側に位置する領域を含んでいる。より詳細には、第１電極１１０は、発光部１５２から透光部１５４に向かって発光部１５２の外側を向いた端部を有している。遮光層２２０は、発光部１５２を覆っており、さらに、発光部１５２の内側から外側にかけて広がっている。このようにして、遮光層２２０は、第１電極１１０の端部の外側において、基板１００の第１面１０２に接している。【選択図】図３
2018060600.tif 000002
【特許請求の範囲】
【請求項１】
基板の第１面側に位置する複数の発光部と、
複数の透光部と、
前記基板の前記第１面側に位置する複数の遮光層と、
を備え、
前記複数の発光部のそれぞれは、互いに隣接する透光部の間に位置し、
前記複数の遮光層のそれぞれは、前記複数の発光部のそれぞれに対して前記基板と反対側に位置する領域を含む発光装置。
【請求項２】
請求項１に記載の発光装置において、
前記複数の発光部のそれぞれは、透光性の第１電極、発光層を含む有機層及び第２電極の積層構造からなる発光装置。
【請求項３】
請求項２に記載の発光装置において、
前記第１電極は、前記発光部から前記透光部に向かって前記発光部の外側を向いた端部を有し、
前記遮光層は、前記第１電極の前記端部よりも外側で前記基板の前記第１面に接している発光装置。
【請求項４】
請求項２又は３に記載の発光装置において、
第１隔壁と、第２隔壁と、を備え、
前記第２隔壁は、前記複数の発光部のうちの第１発光部を挟んで前記第１隔壁の反対側に位置し、
前記複数の遮光層のうちの第１遮光層は、前記第１隔壁と前記第２隔壁の間にあって、前記第１隔壁及び前記第２隔壁に接している発光装置。
【請求項５】
請求項４に記載の発光装置において、
前記基板の前記第１面から前記第１隔壁の上端までの高さ及び前記基板の前記第１面から前記第２隔壁の上端までの高さは、いずれも、前記基板の前記第１面から前記第１発光部の前記有機層の上端までの高さよりも高い発光装置。
【請求項６】
請求項５に記載の発光装置において、
前記基板の前記第１面から前記第１隔壁の上端までの高さ及び前記基板の前記第１面から前記第２隔壁の上端までの高さは、いずれも、前記基板の前記第１面から前記第１発光部の前記第２電極の上端までの高さよりも高い発光装置。
【請求項７】
請求項４〜６のいずれか一項に記載の発光装置において、
前記第１発光部の前記第１電極の端部を覆う絶縁層を備え、
前記絶縁層は、前記第１隔壁から離間している発光装置。
【請求項８】
請求項４〜６のいずれか一項に記載の発光装置において、
前記第１発光部の前記第１電極の端部を覆う絶縁層を備え、
前記第１隔壁は、前記絶縁層と重なっている発光装置。
【請求項９】
請求項４〜６のいずれか一項に記載の発光装置において、
前記第１発光部の前記第１電極の端部を覆う絶縁層を備え、
前記絶縁層は、前記第１隔壁として機能している発光装置。
【請求項１０】
請求項４〜９のいずれか一項に記載の発光装置において、
前記第１隔壁及び前記第２隔壁のそれぞれは、遮光性材料を含む発光装置。
【発明の詳細な説明】
【技術分野】
【０００１】
本発明は、発光装置に関する。
【背景技術】
【０００２】
近年、発光装置として、有機発光ダイオード（ＯＬＥＤ）が開発されている。ＯＬＥＤは、有機層を有しており、この有機層は、有機エレクトロルミネッセンスにより光を発する発光層を含んでいる。ＯＬＥＤは、第１電極（例えば、アノード電極）及び第２電極（例えば、カソード電極）をさらに有しており、第１電極及び第２電極は、有機層を挟んで互いに対向している。ＯＬＥＤでは、第１電極及び第２電極を用いて有機層に電圧を印加することにより光が発せられる。
【０００３】
特許文献１には、ＯＬＥＤの一例について記載されている。このＯＬＥＤでは、第２電極が有機層上で格子状に広がっている。このようにして、このＯＬＥＤでは、発光部（第１電極、有機層及び第２電極の積層構造）が格子状に広がっており、複数の透光部（第１電極及び有機層の積層構造）が発光部に仕切られて行列状に並んでいる。このＯＬＥＤは、封止基板をさらに有しており、封止基板は、発光部及び複数の透光部を覆っている。封止基板は、発光部側の第１面と、第１面の反対側の第２面と、を有している。封止基板の第１面には、防湿部が取り付けられている。封止基板の第２面には、遮光部が取り付けられており、遮光部は、防湿部の反対側に位置している。このため、封止基板の第２面側から見た場合、防湿部が遮光部によって見えないようになっている。このようにして、遮光部は、防湿部がＯＬＥＤの意匠性を低下させることを防いでいる。
【０００４】
特許文献２には、ＯＬＥＤの一例について記載されている。このＯＬＥＤは、着色層を有している。具体的には、このＯＬＥＤでは、第１電極は透光性を有し、第２電極は遮光性を有し、着色層は、第２電極に接するように第１電極の反対側から第２電極を覆っている。着色層は、太陽光が第２電極に到達しても眩しさを感じさせることを防ぐために設けられている。
【先行技術文献】
【特許文献】
【０００５】
【特許文献１】特開２０１６−１６６５号公報
【特許文献２】特開２０１１−１３４７０７号公報
【発明の概要】
【発明が解決しようとする課題】
【０００６】
近年、例えば特許文献１に記載されているように、発光部及び透光部を有するＯＬＥＤが開発されている。このようなＯＬＥＤでは、発光部を基板の第１面側に設ける場合、発光部からの光が基板の第１面側から漏れることを防止することが要請されることがある。
【０００７】
本発明が解決しようとする課題としては、発光部及び透光部を有するＯＬＥＤにおいて発光部を基板の第１面側に設ける場合に、発光部からの光が基板の第１面側から漏れることを防ぐことが一例として挙げられる。
【課題を解決するための手段】
【０００８】
請求項１に記載の発明は、
基板の第１面側に位置する複数の発光部と、
複数の透光部と、
前記基板の前記第１面側に位置する複数の遮光層と、
を備え、
前記複数の発光部のそれぞれは、互いに隣接する透光部の間に位置し、
前記複数の遮光層のそれぞれは、前記複数の発光部のそれぞれに対して前記基板と反対側に位置する領域を含む発光装置である。
【図面の簡単な説明】
【０００９】
【図１】実施形態１に係る発光装置を示す平面図である。
【図２】図１から複数の第２電極を取り除いた図である。
【図３】図１のＡ−Ａ断面図である。
【図４】図１〜図３に示した発光装置の製造方法の第１例を説明するための図である。
【図５】図１〜図３に示した発光装置の製造方法の第２例を説明するための図である。
【図６】図２の変形例を示す図である。
【図７】図３の変形例を示す図である。
【図８】実施形態２に係る発光装置を説明するための平面図である。
【図９】実施形態２に係る発光装置を示す断面図である。
【図１０】図８の変形例を示す図である。
【図１１】図９の第１の変形例を示す図である。
【図１２】図９の第２の変形例を示す図である。
【図１３】実施形態３に係る発光装置を示す断面図である。
【図１４】図１３の変形例を示す図である。
【図１５】実施形態４に係る発光装置を示す断面図である。
【図１６】変形例に係る発光装置を示す断面図である。
【図１７】図１６の変形例を示す図である。
【図１８】実施例に係る発光装置を示す断面図である。
【発明を実施するための形態】
【００１０】
以下、本発明の実施の形態について、図面を用いて説明する。尚、すべての図面において、同様な構成要素には同様の符号を付し、適宜説明を省略する。
【００１１】
（実施形態１）
図１は、実施形態１に係る発光装置１０を示す平面図である。図２は、図１から複数の第２電極１３０を取り除いた図である。図３は、図１のＡ−Ａ断面図である。なお、説明のため、図１及び２では、有機層１２０（図３）及び遮光層２２０（図３）を図示していない。
【００１２】
図３を用いて発光装置１０の概要について説明する。発光装置１０は、複数の発光部１５２、複数の透光部１５４及び複数の遮光層２２０を備えている。複数の発光部１５２は、基板１００の第１面１０２側に位置している。本図に示す例において、複数の発光部１５２のそれぞれは、第１電極１１０、有機層１２０及び第２電極１３０の積層構造からなっている。第１電極１１０は、透光性を有している。有機層１２０は、発光層を含んでいる。第２電極１３０は、遮光性（具体的には、光反射性）を有していてもよいし、又は遮光性（具体的には、光反射性）を有していなくてもよい。複数の発光部１５２のそれぞれは、互いに隣接する透光部１５４の間にそれぞれ位置しており、言い換えると、複数の発光部１５２及び複数の透光部１５４は、交互に並んでいる。複数の遮光層２２０は、基板１００の第１面１０２側に位置している。
【００１３】
複数の遮光層２２０のそれぞれは、複数の発光部１５２に対して基板１００と反対側に位置する領域を含んでいる。より詳細には、第１電極１１０は、発光部１５２から透光部１５４に向かって発光部１５２の外側を向いた端部を有している。遮光層２２０は、発光部１５２を覆っており、さらに、発光部１５２の内側から外側にかけて広がっている。このようにして、遮光層２２０は、第１電極１１０の端部の外側において、基板１００の第１面１０２に接している。
【００１４】
本図に示す例においては、発光部１５２からの光が基板１００の第１面１０２側から漏れることが防止されている。具体的には、複数の遮光層２２０のそれぞれは、基板１００の第１面１０２側から複数の発光部１５２のそれぞれを覆っている。このため、発光部１５２からの光は、遮光層２２０によって遮られる。このようにして、本図に示す例では、発光部１５２からの光が基板１００の第１面１０２側から漏れることが防止されている。
【００１５】
さらに、本図に示す例においては、第１電極１１０の端部から漏れた光が遮光層２２０の外側へ漏れることが防止されている。具体的には、発光部１５２からの光は、基板１００と第１電極１１０の界面での反射によって第１電極１１０の端部から漏れることがあり、この場合、本図に示す例では、この光は、絶縁層１４０（詳細は後述する。）に入射する。絶縁層１４０が透光性を有する場合、この光は、絶縁層１４０を透過する。このようにして、光が絶縁層１４０を透過しても、本図に示す例では、遮光層２２０が第１電極１１０の端部の外側で基板１００の第１面１０２に接している。このため、絶縁層１４０（第１電極１１０の端部）からの光は、遮光層２２０によって遮られる。このようにして、本図に示す例では、第１電極１１０の端部から漏れた光が遮光層２２０の外側へ漏れることが防止されている。
【００１６】
次に、図１及び図２を用いて、発光装置１０の平面レイアウトの詳細について説明する。発光装置１０は、基板１００、複数の第１電極１１０、複数の第１接続部１１２、第１配線１１４、複数の導電部１１６、複数の第２電極１３０、複数の第２接続部１３２、第２配線１３４、複数の絶縁層１４０及び複数の隔壁層２１０を備えている。
【００１７】
基板１００の形状は、第１面１０２に垂直な方向から見た場合、一対の長辺及び一対の短辺を有する矩形である。ただし、基板１００の形状は、本図に示す例に限定されるものではない。基板１００の形状は、第１面１０２に垂直な方向から見た場合、例えば円でもよいし、又は矩形以外の多角形であってもよい。
【００１８】
複数の第１電極１１０は、互いに離間して位置しており、具体的には、基板１００の長辺に沿って一列に並んでいる。複数の第１電極１１０のそれぞれは、基板１００の短辺に沿って延伸している。
【００１９】
複数の第１電極１１０のそれぞれは、複数の第１接続部１１２のそれぞれを介して、第１配線１１４に接続している。複数の第１接続部１１２は、第１配線１１４によって互いに接続している。第１配線１１４は、基板１００の一対の長辺の一方に沿って延伸している。外部からの電圧は、第１配線１１４及び第１接続部１１２を介して第１電極１１０に供給される。なお、本図に示す例において、第１電極１１０及び第１接続部１１２は、互いに一体となっている。言い換えると、発光装置１０は、第１電極１１０として機能する領域及び第１接続部１１２として機能する領域を有する導電層を備えている。
【００２０】
複数の導電部１１６のそれぞれは、複数の第１電極１１０のそれぞれ及び複数の第１接続部１１２のそれぞれに接続している。導電部１１６は、第１電極１１０の長手方向に沿って延伸している。
【００２１】
複数の第２電極１３０のそれぞれは、複数の第１電極１１０のそれぞれに重なっている。複数の第２電極１３０は、互いに離間して位置しており、具体的には、基板１００の長辺に沿って一列に並んでいる。複数の第２電極１３０のそれぞれは、基板１００の短辺に沿って延伸しており、具体的には、基板１００の短辺に沿って延伸する一対の長辺及び基板１００の長辺に沿って延伸する一対の短辺を有している。
【００２２】
複数の第２電極１３０のそれぞれは、複数の第２接続部１３２のそれぞれを介して、第２配線１３４に接続している。複数の第２接続部１３２は、第２配線１３４によって互いに接続している。第２配線１３４は、基板１００の一対の長辺の他方に沿って延伸している。外部からの電圧は、第２配線１３４及び第２接続部１３２を介して第２電極１３０に供給される。
【００２３】
複数の絶縁層１４０のそれぞれは、複数の第１電極１１０のそれぞれに重なっている。複数の絶縁層１４０は、互いに離間して位置しており、具体的には、基板１００の長辺に沿って一列に並んでいる。複数の絶縁層１４０のそれぞれは、基板１００の短辺に沿って延伸しており、具体的には、基板１００の短辺に沿って延伸する一対の長辺及び基板１００の長辺に沿って延伸する一対の短辺を有している。
【００２４】
複数の絶縁層１４０のそれぞれは、開口１４２を有している。図３を用いて後述するように、開口１４２内において、第１電極１１０、有機層１２０及び第２電極１３０は、発光部１５２として機能する領域（第１電極１１０、有機層１２０及び第２電極１３０の積層構造）を有している。言い換えると、絶縁層１４０は、発光部１５２を画定している。発光部１５２（開口１４２）は、基板１００の短辺に沿って延伸しており、具体的には、基板１００の短辺に沿って延伸する一対の長辺及び基板１００の長辺に沿って延伸する一対の短辺を有している。
【００２５】
複数の隔壁層２１０のそれぞれは、複数の絶縁層１４０のそれぞれを囲んでいる。本図に示す例では、隔壁層２１０は、いずれの領域においても、絶縁層１４０に接しておらず、絶縁層１４０から離間している。
【００２６】
次に、図３を用いて、発光装置１０の断面の詳細について説明する。発光装置１０は、基板１００、第１電極１１０、有機層１２０、第２電極１３０、絶縁層１４０、隔壁層２１０及び遮光層２２０を備えている。基板１００は、第１面１０２及び第２面１０４を有している。第２面１０４は、第１面１０２の反対側にある。第１電極１１０、有機層１２０、第２電極１３０、絶縁層１４０、隔壁層２１０及び遮光層２２０は、基板１００の第１面１０２上にある。
【００２７】
基板１００は、透光性を有している。一例において、基板１００は、ガラスを含んでいる。他の例において、基板１００は、樹脂を含んでいてもよい。
【００２８】
基板１００の第１面１０２は、複数の領域１０２ａ及び複数の領域１０２ｂを有している。複数の領域１０２ａ及び複数の領域１０２ｂは、交互に並んでいる。第１電極１１０、導電部１１６、有機層１２０、第２電極１３０、絶縁層１４０、遮光層２２０及び隔壁層２１０は、基板１００の領域１０２ａ上にある。本図に示す例において、領域１０２ａは、隔壁層２１０の一方の外側面の下端から隔壁層２１０の他方の外側面の下端にかけて広がっている。領域１０２ｂは、互いに隣接する隔壁層２１０のうちの一方の隔壁層２１０の外側面の下端から他方の隔壁層２１０の外側面の下端にかけて広がっている。
【００２９】
第１電極１１０は、透光性及び導電性を有している。具体的には、第１電極１１０は、透光性及び導電性を有する材料を含んでおり、例えば金属酸化物、具体的には例えば、ＩＴＯ（Ｉｎｄｉｕｍ  Ｔｉｎ  Ｏｘｉｄｅ）及びＩＺＯ（Ｉｎｄｉｕｍ  Ｚｉｎｃ  Ｏｘｉｄｅ）の少なくとも１つを含んでいる。これにより、有機層１２０からの光は、第１電極１１０を透過することができる。
【００３０】
導電部１１６は、導電性を有している。具体的には、導電部１１６の導電率は、第１電極１１０の導電率よりも高く、このため、導電部１１６は、第１電極１１０の補助電極として機能している。導電部１１６は、例えば、金属、具体的には、例えば、Ａｌ及びＭｎの少なくとも１つを含んでいる。一例において、導電部１１６は、Ｍｏ／Ａｌ／Ｍｏの積層膜である。
【００３１】
有機層１２０は、例えば、正孔注入層、正孔輸送層、発光層、電子輸送層及び電子注入層を含んでいる。正孔注入層及び正孔輸送層は、第１電極１１０に接続している。電子輸送層及び電子注入層は、第２電極１３０に接続している。発光層は、第１電極１１０と第２電極１３０の間の電圧によって光を発する。
【００３２】
本図に示す例において、有機層１２０は、絶縁層１４０の開口１４２の外側に広がっており、さらに、絶縁層１４０の端部の外側に広がっている。このようにして、有機層１２０は、絶縁層１４０を覆っている。他の例においては、有機層１２０は、絶縁層１４０の端部の外側まで広がっていなくてもよい。
【００３３】
第２電極１３０は、光反射性及び導電性を有している。具体的には、第２電極１３０は、光反射性を有する材料を含んでおり、例えば金属、具体的には例えば、Ａｌ、Ａｇ及びＭｇＡｇの少なくとも１つを含んでいる。これにより、有機層１２０からの光は、第２電極１３０をほとんど透過することなく、第２電極１３０で反射される。
【００３４】
なお、第２電極１３０の光反射性に起因して、第２電極１３０は、遮光性を有している。このため、本図に示す例では、有機層１２０からの光が第２電極１３０から漏れることが抑制されている。
【００３５】
絶縁層１４０は、透光性を有している。一例において、絶縁層１４０は、有機絶縁材料、具体的には例えばポリイミドを含んでいる。他の例において、絶縁層１４０は、無機絶縁材料、具体的には例えば、シリコン酸化物（ＳｉＯｘ）、シリコン酸窒化物（ＳｉＯＮ）又はシリコン窒化物（ＳｉＮｘ）を含んでいてもよい。
【００３６】
絶縁層１４０は、開口１４２を有している。絶縁層１４０は、開口１４２から第１電極１１０の一部を露出し、第１電極１１０の端部及び導電部１１６を覆っている。このようにして、絶縁層１４０は、発光部１５２を画定するとともに、第１電極１１０の端部及び導電部１１６が第２電極１３０に接触することを防止している。
【００３７】
本図に示す例において、絶縁層１４０の側面は傾斜している。より具体的には、絶縁層１４０の側面は、絶縁層１４０の下端から上端に向かうにつれて絶縁層１４０の内側に向けて傾斜している。
【００３８】
隔壁層２１０は、透光性を有している。一例において、隔壁層２１０は、有機絶縁材料、具体的には例えばポリイミドを含んでいる。隔壁層２１０の材料は、絶縁層１４０の材料と同一であってもよいし、又は絶縁層１４０の材料と異なっていてもよい。
【００３９】
隔壁層２１０は、第１隔壁２１２として機能する領域及び第２隔壁２１４として機能する領域を含んでいる。第２隔壁２１４は、発光部１５２を挟んで第１隔壁２１２の反対側に位置している。特に本図に示す例では、発光部１５２の外側に向けて、第１隔壁２１２及び第２隔壁２１４は、絶縁層１４０から離間している。
【００４０】
本図に示す例において、隔壁層２１０（第１隔壁２１２及び第２隔壁２１４）の側面は傾斜している。より具体的には、隔壁層２１０の側面は、隔壁層２１０の下端から上端に向かうにつれて隔壁層２１０の内側に向けて傾斜している。
【００４１】
遮光層２２０は、遮光性を有しており、具体的には、光吸収性を有している。これにより、発光部１５２からの光が遮光層２２０に入射した場合、この光は遮光層２２０に吸収される。遮光層２２０は、光吸収性を有する材料、具体的には、一例において、黒色顔料を含む有機材料又は黒色染料を含む有機材料を含んでいる。このような有機材料が用いられる場合、遮光層２２０は、塗布プロセスによって基板１００の第１面１０２上に形成することができる。
【００４２】
発光部１５２は、第１電極１１０、有機層１２０及び第２電極１３０の積層構造を有している。詳細には、絶縁層１４０の開口１４２内において、第１電極１１０、有機層１２０及び第２電極１３０は、発光部１５２として機能する領域を有しており、この領域において、第１電極１１０、有機層１２０及び第２電極１３０は、互いに重なっている。
【００４３】
透光部１５４は、基板１００の一部を有しており、特に本図に示す例では、第１電極１１０、導電部１１６、有機層１２０、第２電極１３０、絶縁層１４０、隔壁層２１０及び遮光層２２０のいずれも有していない。このため、透光部１５４では、第１電極１１０、導電部１１６、有機層１２０、第２電極１３０、絶縁層１４０、隔壁層２１０又は遮光層２２０が光を遮ることはない。このため、透光部１５４は、高い光線透過率を有している。なお、図１６を用いて後述するように、他の例において、透光部１５４は、有機層１２０の一部を有していてもよい。
【００４４】
複数の領域１０２ａのうちの一の領域１０２ａにおいて、複数の遮光層２２０のうちの一の遮光層２２０（第１遮光層）は、第１隔壁２１２と第２隔壁２１４の間にあって、第１隔壁２１２及び第２隔壁２１４に接している。その他の領域１０２ａにおいても、同様にして、遮光層２２０は、第１隔壁２１２と第２隔壁２１４の間にあって、第１隔壁２１２及び第２隔壁２１４に接している。
【００４５】
本図に示す例においては、遮光層２２０が設けられる位置を隔壁層２１０（第１隔壁２１２及び第２隔壁２１４）によって決定することができる。特に、遮光層２２０が液状又はゲル状の材料を用いて形成されている場合、隔壁層２１０がないと、遮光層２２０は、所望の位置よりも広がるおそれがある。これに対して、本図に示す例においては、遮光層２２０を形成するための材料が所望の位置よりも広がることを隔壁層２１０が防止している。このようにして、本図に示す例では、遮光層２２０が設けられる位置を隔壁層２１０（第１隔壁２１２及び第２隔壁２１４）によって決定することができる。
【００４６】
本図に示す例においては、基板１００の第１面１０２から第１隔壁２１２の上端（上面）までの高さは、基板１００の第１面１０２から有機層１２０の上端（上面）までの高さよりも高く、さらに基板１００の第１面１０２から第２電極１３０の上端（上面）までの高さよりも高い。同様にして、基板１００の第１面１０２から第２隔壁２１４の上端（上面）までの高さは、基板１００の第１面１０２から有機層１２０の上端（上面）までの高さよりも高く、さらに基板１００の第１面１０２から第２電極１３０の上端（上面）までの高さよりも高い。
【００４７】
基板１００の第１面１０２から第１隔壁２１２の上端までの高さ及び基板１００の第１面１０２から第２隔壁２１４の上端までの高さが基板１００の第１面１０２から有機層１２０の上端（上面）までの高さよりも高い場合、有機層１２０を形成するためのマスクを隔壁層２１０（第１隔壁２１２及び第２隔壁２１４）に当てることができる。具体的には、有機層１２０を例えば蒸着によって形成する場合、マスクが用いられることがある。本図に示す例においては、有機層１２０を蒸着によって形成するとき、このようなマスクを隔壁層２１０（第１隔壁２１２及び第２隔壁２１４）に当てることができる。
【００４８】
基板１００の第１面１０２から第１隔壁２１２の上端までの高さ及び基板１００の第１面１０２から第２隔壁２１４の上端までの高さが基板１００の第１面１０２から第２電極１３０の上端（上面）までの高さよりも高い場合、第２電極１３０を形成するためのマスクを隔壁層２１０（第１隔壁２１２及び第２隔壁２１４）に当てることができる。具体的には、第２電極１３０を例えば蒸着によって形成する場合、マスクが用いられることがある。本図に示す例においては、第２電極１３０を蒸着によって形成するとき、このようなマスクを隔壁層２１０（第１隔壁２１２及び第２隔壁２１４）に当てることができる。
【００４９】
本図に示す例では、第１隔壁２１２及び第２隔壁２１４は、絶縁層１４０から離間している。このため、遮光層２２０の一部が絶縁層１４０の外側面と第１隔壁２１２の内側面の間に入り込んでおり、遮光層２２０の他の一部が絶縁層１４０の外側面と第２隔壁２１４の内側面の間に入り込んでいる。この場合、基板１００の第１面１０２にほぼ沿った方向で第１電極１１０の端部から光が漏れても、遮光層２２０がこの光を遮ることができる。
【００５０】
本図に示す例において、発光装置１０は、半透過ＯＬＥＤとして機能している。具体的には、複数の発光部１５２から光が発せられていない場合、人間の視覚では、第１面１０２側の物体が第２面１０４側から透けて見え、第２面１０４側の物体が第１面１０２側から透けて見える。さらに、複数の発光部１５２からの光は、第２面１０４側から主に出力され、第１面１０２側からはほとんど出力されない。複数の発光部１５２から光が発せられている場合、人間の視覚では、第２面１０４側の物体が第１面１０２側から透けて見える。
【００５１】
発光装置１０の光線透過率を高いものにする観点からすると、透光部１５４の幅（領域１０２ｂの幅ｄ２に相当）は、広いことが好ましく、一例において、領域１０２ｂの幅ｄ２は、領域１０２ａの幅ｄ１の０．５倍以上（ｄ２／ｄ１≧０．５）、好ましくは領域１０２ａの幅ｄ１の１．０倍以上（ｄ２／ｄ１≧１．０）である。この例においては、発光装置１０の光線透過率を高いものにすることができる。
【００５２】
一例において、発光装置１０は、自動車のハイマウントストップランプとして用いることができる。この場合、発光装置１０は、自動車のリアウインドウに貼り付けることができる。さらに、この場合、発光装置１０は、例えば、赤色の光を発する。
【００５３】
図４は、図１〜図３に示した発光装置１０の製造方法の第１例を説明するための図である。この第１例では、以下のようにして発光装置１０が製造される。
【００５４】
まず、基板１００の第１面１０２上に第１電極１１０、第１接続部１１２及び第２接続部１３２を形成する。一例において、第１電極１１０、第１接続部１１２及び第２接続部１３２は、スパッタリングにより形成された導電層をパターニングすることにより形成される。次いで、導電部１１６を形成する。一例において、導電部１１６は、スパッタリングによって形成される。
【００５５】
次いで、絶縁層１４０を形成する。一例において、絶縁層１４０は、基板１００の第１面１０２上に塗布された感光性樹脂をパターニングすることにより形成される。
【００５６】
次いで、図４に示すように、隔壁層２１０を形成する。一例において、隔壁層２１０は、フォトリソグラフィによって形成されたパターンを焼成することによって形成される。他の例において、隔壁層２１０は、インクジェット又はディスペンサによって塗布されたパターンを硬化することによって形成される。
【００５７】
次いで、有機層１２０を形成する。マスクを用いて有機層１２０を蒸着によって形成する場合、上記したように、このマスクを隔壁層２１０に当てることができる。
【００５８】
次いで、第２電極１３０を形成する。マスクを用いて第２電極１３０を蒸着によって形成する場合、上記したように、このマスクを隔壁層２１０に当てることができる。
【００５９】
次いで、遮光層２２０を形成する。一例において、遮光層２２０は、塗布プロセスによって基板１００の第１面１０２上に形成することができる。
【００６０】
このようにして、図１〜図３に示した発光装置１０が製造される。
【００６１】
図５は、図１〜図３に示した発光装置１０の製造方法の第２例を説明するための図である。この第２例は、以下の点を除いて、図４を用いて説明した第１例と同様である。
【００６２】
まず、図４を用いて説明した第１例と同様にして、第１電極１１０、第１接続部１１２、導電部１１６、第２接続部１３２及び絶縁層１４０を形成する。
【００６３】
次いで、図５に示すように、有機層１２０を形成する。言い換えると、図５に示す例では、隔壁層２１０（図４）を形成する前に有機層１２０を形成している。
【００６４】
次いで、隔壁層２１０を形成する。一例において、隔壁層２１０は、インクジェット又はディスペンサによって塗布されたパターンを硬化することによって形成される。
【００６５】
次いで、図４を用いて説明した第１例と同様にして、第２電極１３０及び遮光層２２０を形成する。
【００６６】
図６は、図２の変形例を示す図である。本図に示すように、隔壁層２１０は、絶縁層１４０を囲んでいなくてもよい。具体的には、本図に示す例では、第１隔壁２１２及び第２隔壁２１４が絶縁層１４０を挟んで互いに反対側に位置しており、絶縁層１４０に沿って延伸している。第１隔壁２１２と第２隔壁２１４は、互いに繋がっておらず、言い換えると、互いに離間している。本図に示す例においては、発光部１５２の幅方向において、遮光層２２０（図３）が設けられる位置を隔壁層２１０（第１隔壁２１２及び第２隔壁２１４）によって決定することができる。
【００６７】
図７は、図３の変形例を示す図である。本図に示す例において、隔壁層２１０（第１隔壁２１２及び第２隔壁２１４）は、遮光性を有している。言い換えると、隔壁層２１０は、遮光性材料を含んでいる。より具体的には、一例において、隔壁層２１０は、黒色顔料を含む有機材料又は黒色染料を含む有機材料を含んでいる。この例においては、黒色顔料又は黒色染料が遮光性材料として機能している。
【００６８】
本図に示す例では、発光部１５２から漏れた光を、遮光層２２０だけでなく、隔壁層２１０でも遮ることができる。このため、発光部１５２からの光が基板１００の第１面１０２側から漏れることを高い信頼性で防止することができる。
【００６９】
以上、本実施形態によれば、複数の遮光層２２０のそれぞれは、基板１００の第１面１０２側から複数の発光部１５２のそれぞれを覆っている。このため、発光部１５２からの光は、遮光層２２０によって遮られる。このため、発光部１５２からの光が基板１００の第１面１０２側から漏れることが防止することができる。
【００７０】
（実施形態２）
図８は、実施形態２に係る発光装置１０を説明するための平面図であり、実施形態１の図２に対応する。図９は、本実施形態に係る発光装置１０を示す断面図であり、実施形態１の図３に対応する。本実施形態に係る発光装置１０は、以下の点を除いて、実施形態１に係る発光装置１０と同様である。
【００７１】
本実施形態において、第１隔壁２１２及び第２隔壁２１４は、絶縁層１４０と重なっている。より具体的には、第１隔壁２１２及び第２隔壁２１４は、絶縁層１４０の端部を覆っており、特に本図に示す例では、絶縁層１４０に接している。第１隔壁２１２及び第２隔壁２１４は、絶縁層１４０と同一材料を含んでいてもよいし、又は絶縁層１４０と異なる材料を含んでいてもよい。さらに、図９に示すように、有機層１２０の一方の端部は、第１隔壁２１２の内側面に接していてもよいし、同様にして、有機層１２０の他方の端部は、第２隔壁２１４の内側面に接していてもよい。言い換えると、本実施形態では、図４を用いて説明した例と同様にして、隔壁層２１０（第１隔壁２１２及び第２隔壁２１４）を形成した後、有機層１２０を形成している。この場合、有機層１２０の端部は、第１隔壁２１２及び第２隔壁２１４に接触可能となる。
【００７２】
本実施形態では、発光装置１０の光線透過率を高いものにすることができる。具体的には、本実施形態では、図９に示すように、第１隔壁２１２及び第２隔壁２１４が発光部１５２からあまり離れていない。このため、領域１０２ｂの幅（透光部１５４の幅に相当）が広くなっている。このため、本実施形態では、発光装置１０の光線透過率を高いものにすることができる。
【００７３】
さらに、本実施形態では、領域１０２ａの幅（すなわち、隔壁層２１０の一方の端部から他方の端部までの幅）に占める開口１４２の幅の割合、言い換えると、開口率を高いものにすることができる。本図に示す例では、第１隔壁２１２及び第２隔壁２１４が発光部１５２からあまり離れていない。このため、第１隔壁２１２と第２隔壁２１４の間の距離を短くすることができる。このため、本実施形態では、開口率を高いものにすることができる。
【００７４】
図１０は、図８の変形例を示す図である。本図に示す例では、図６に示した例と同様にして、隔壁層２１０は、絶縁層１４０を囲んでいない。具体的には、本図に示す例では、第１隔壁２１２及び第２隔壁２１４が絶縁層１４０を挟んで互いに反対側に位置しており、絶縁層１４０に沿って延伸している。第１隔壁２１２と第２隔壁２１４は、互いに繋がっておらず、言い換えると、互いに離間している。本図に示す例においては、発光部１５２の幅方向において、遮光層２２０（例えば、図９）が設けられる位置を隔壁層２１０（第１隔壁２１２及び第２隔壁２１４）によって決定することができる。
【００７５】
図１１は、図９の第１の変形例を示す図である。本図に示す例では、有機層１２０の一方の端部及び他方の端部が第１隔壁２１２及び第２隔壁２１４によってそれぞれ覆われている。言い換えると、本図に示す例では、図５を用いて説明した例と同様にして、有機層１２０を形成した後、隔壁層２１０（第１隔壁２１２及び第２隔壁２１４）を形成している。この場合、有機層１２０の一方端部及び他方の端部は、第１隔壁２１２及び第２隔壁２１４によって覆われるようにすることが可能となる。
【００７６】
図１２は、図９の第２の変形例を示す図である。本図に示す例では、図７に示した例と同様にして、隔壁層２１０（第１隔壁２１２及び第２隔壁２１４）は、遮光性材料を含んでいる。これにより、第１電極１１０の端部から漏れた光が隔壁層２１０の外側へ漏れることが防止されている。特に本図に示す例では、第１電極１１０の端部の外側において、遮光層２２０が基板１００の第１面１０２に接していない。このため、基板１００の第１面１０２にほぼ沿った方向で第１電極１１０の端部から漏れた光を遮光層２２０によって遮ることが難しい。本図に示す例においては、このような光であっても、隔壁層２１０によって遮ることができる。
【００７７】
（実施形態３）
図１３は、実施形態３に係る発光装置１０を示す断面図であり、実施形態１の図３に対応する。本実施形態に係る発光装置１０は、以下の点を除いて、実施形態１に係る発光装置１０と同様である。
【００７８】
本図に示す例では、絶縁層１４０が隔壁層２１０（第１隔壁２１２及び第２隔壁２１４）として機能している。図３に示した例と同様にして、絶縁層１４０は、第１電極１１０の端部及び導電部１１６を覆っている。遮光層２２０は、第１隔壁２１２及び第２隔壁２１４の間、すなわち絶縁層１４０の開口１４２内にあって、第１隔壁２１２及び第２隔壁２１４に接している。本図に示す例では、有機層１２０の上端及び第２電極１３０の上端は、いずれも、絶縁層１４０の上端よりも低い位置にあり、言い換えると、有機層１２０及び第２電極１３０は、絶縁層１４０の開口１４２の外側に広がっていない。
【００７９】
本図に示す例では、発光装置１０の光線透過率を高いものにすることができる。具体的には、本実施形態では、図１３に示すように、第１隔壁２１２及び第２隔壁２１４が発光部１５２からあまり離れていない。このため、領域１０２ｂの幅（透光部１５４の幅に相当）が広くなっている。このため、本実施形態では、発光装置１０の光線透過率を高いものにすることができる。
【００８０】
さらに、本図に示す例では、領域１０２ａの幅（すなわち、絶縁層１４０の一方の端部から他方の端部までの幅）に占める開口１４２の幅の割合、言い換えると、開口率を高いものにすることができる。本図に示す例では、絶縁層１４０とは別に隔壁層２１０を設ける必要がない。このため、第１隔壁２１２と第２隔壁２１４の間の距離を短くすることができる。このため、本図に示す例では、開口率を高いものにすることができる。
【００８１】
さらに、本図に示す例では、発光装置１０の製造プロセスを簡易にすることができる。具体的には、本図に示す例では、絶縁層１４０を形成する工程とは別に隔壁層２１０を形成する工程を設ける必要がない。このため、発光装置１０の製造プロセスの工程が少ないものとなっている。このため、本図に示す例では、発光装置１０の製造プロセスを簡易にすることができる。
【００８２】
図１４は、図１３の変形例を示す図である。本図に示す例では、図７に示した例と同様にして、絶縁層１４０（第１隔壁２１２及び第２隔壁２１４）は、遮光性材料を含んでいる。これにより、第１電極１１０の端部から漏れた光が絶縁層１４０の外側へ漏れることが防止されている。特に本図に示す例では、第１電極１１０の端部の外側において、遮光層２２０が基板１００の第１面１０２に接していない。このため、基板１００の第１面１０２にほぼ沿った方向で第１電極１１０の端部から漏れた光を遮光層２２０によって遮ることが難しい。本図に示す例においては、このような光であっても、絶縁層１４０によって遮ることができる。
【００８３】
（実施形態４）
図１５は、実施形態４に係る発光装置１０を示す断面図であり、実施形態１の図３に対応する。本実施形態に係る発光装置１０は、以下の点を除いて、実施形態１に係る発光装置１０と同様である。
【００８４】
本図に示す例において、発光装置１０は、隔壁層２１０（図３）を備えておらず、複数の遮光層２２０を備えている。複数の遮光層２２０のそれぞれは、複数の発光部１５２に対して基板１００と反対側に位置する領域を含んでいる。より詳細には、第１電極１１０は、発光部１５２から透光部１５４に向かって発光部１５２の外側を向いた端部を有している。遮光層２２０は、発光部１５２を覆っており、さらに、発光部１５２の内側から外側にかけて広がっている。このようにして、遮光層２２０は、第１電極１１０の端部の外側において、基板１００の第１面１０２に接している。
【００８５】
一例において、複数の遮光層２２０は、複数の発光部１５２を跨って形成された遮光層をエッチングすることにより形成することができる。このような遮光層の例は、クロム層又は酸化クロム層である。他の例において、遮光層２２０は、インクジェット又はディスペンサによって塗布されたパターンを硬化することによって形成されていてもよい。
【００８６】
本図に示す例においては、図３に示した例と同様にして、発光部１５２からの光が基板１００の第１面１０２側から漏れることが防止されている。さらに、本図に示す例においては、図３に示した例と同様にして、第１電極１１０の端部から漏れた光が遮光層２２０の外側へ漏れることが防止されている。
【００８７】
（変形例）
図１６は、変形例に係る発光装置１０を示す断面図であり、実施形態１の図３に対応する。本変形例に係る発光装置１０は、以下の点を除いて、実施形態１に係る発光装置１０と同様である。
【００８８】
本図に示す例において、有機層１２０は、複数の発光部１５２及び複数の透光部１５４に亘って広がっている。このようにして、有機層１２０は、互いに隣接する発光部１５２の間で基板１００の第１面１０２を覆っており、言い換えると、透光部１５４は、有機層１２０の一部を有している。有機層１２０は、ある程度高い光線透過率を有している。このため、透光部１５４において有機層１２０が基板１００の第１面１０２を覆っていても、透光部１５４は、高い光線透過率を維持することができる。
【００８９】
なお、本図に示す例では、隔壁層２１０は、有機層１２０上に位置している。言い換えると、本図に示す例では、図５を用いて説明した例と同様にして、有機層１２０を形成した後、隔壁層２１０（第１隔壁２１２及び第２隔壁２１４）を形成している。この場合、隔壁層２１０は、有機層１２０上に位置するようになる。
【００９０】
図１７は、図１６の変形例を示す図である。本図に示す例において、有機層１２０は、複数の発光部１５２及び複数の透光部１５４に亘って広がっており、さらに、複数の隔壁層２１０を覆っている。言い換えると、本図に示す例では、図４を用いて説明した例と同様にして、隔壁層２１０（第１隔壁２１２及び第２隔壁２１４）を形成した後、有機層１２０を形成している。このため、有機層１２０は、複数の隔壁層２１０を覆っている。
【００９１】
本図に示す例においては、有機層１２０を形成する工程を簡易なものにすることができる。具体的には、本図に示す例では、複数の有機層１２０のそれぞれが複数の第１電極１１０のそれぞれと重なるようにする必要がない。このため、有機層１２０の形成に際してマスクを用いる必要がない。このため、有機層１２０を形成する工程を簡易なものにすることができる。なお、第２電極１３０を形成する工程では、第２電極１３０を形成するためのマスクを隔壁層２１０（第１隔壁２１２及び第２隔壁２１４）に当てることができる。
【実施例】
【００９２】
図１８は、実施例に係る発光装置１０を示す断面図であり、実施形態１の図３に対応する。本実施例に係る発光装置１０は、以下の点を除いて、実施形態１に係る発光装置１０と同様である。
【００９３】
発光装置１０は、封止基板２３０を備えている。封止基板２３０は、透光性を有している。一例において、封止基板２３０は、ガラスを含んでいる。他の例において、封止基板２３０は、樹脂を含んでいてもよい。封止基板２３０は、複数の発光部１５２及び複数の透光部１５４を覆っている。より具体的には、封止基板２３０は、隔壁層２１０を挟んで基板１００の第１面１０２に対向している。このようにして、第１隔壁２１２と第２隔壁２１４の間では、基板１００と封止基板２３０の間で発光部１５２が封止されている。
【００９４】
より詳細には、発光装置１０は、複数の封止部２００を備えている。複数の封止部２００のそれぞれは、複数の発光部１５２のそれぞれを覆っており、互いに隣接する透光部１５４の間に位置している。具体的には、隔壁層２１０が封止部２００の一部として機能し、遮光層２２０が封止部２００の一部として機能し、封止基板２３０の一部（領域２３２）が封止部２００の一部として機能している。封止基板２３０の領域２３２は、第１隔壁２１２から第２隔壁２１４に亘って広がっており、第１隔壁２１２及び第２隔壁２１４に接している。発光部１５２と封止基板２３０の間の領域は、遮光層２２０によって充填されている。このようにして、複数の封止部２００のそれぞれは、複数の発光部１５２のそれぞれを封止している。
【００９５】
本実施例においても、発光部１５２からの光は、遮光層２２０によって遮られる。このため、発光部１５２からの光が基板１００の第１面１０２側から漏れることが防止することができる。
【００９６】
以上、図面を参照して実施形態及び実施例について述べたが、これらは本発明の例示であり、上記以外の様々な構成を採用することもできる。
【符号の説明】
【００９７】
１０  発光装置
１００  基板
１０２  第１面
１０２ａ  領域
１０２ｂ  領域
１０４  第２面
１１０  第１電極
１１２  第１接続部
１１４  第１配線
１１６  導電部
１２０  有機層
１３０  第２電極
１３２  第２接続部
１３４  第２配線
１４０  絶縁層
１４２  開口
１５２  発光部
１５４  透光部
２００  封止部
２１０  隔壁層
２１２  第１隔壁
２１４  第２隔壁
２２０  遮光層
２３０  封止基板
２３２  領域
【図１】
2018060600.tif 000003
【図２】
2018060600.tif 000004
【図３】
2018060600.tif 000005
【図４】
2018060600.tif 000006
【図５】
2018060600.tif 000007
【図６】
2018060600.tif 000008
【図７】
2018060600.tif 000009
【図８】
2018060600.tif 000010
【図９】
2018060600.tif 000011
【図１０】
2018060600.tif 000012
【図１１】
2018060600.tif 000013
【図１２】
2018060600.tif 000014
【図１３】
2018060600.tif 000015
【図１４】
2018060600.tif 000016
【図１５】
2018060600.tif 000017
【図１６】
2018060600.tif 000018
【図１７】
2018060600.tif 000019
【図１８】
2018060600.tif 000020